(57)【要約】【課題】使用者が妊娠している時から出産した後において、大きくなった腹部を支えることができるとともに、腰痛の発生を軽減することができる妊婦および経産婦用支持具を提供すること。【解決手段】少なくとも妊娠中の使用者Ｍの腹部１の下方位置に配置可能である支え帯部材２０であり、支え帯部材２０を固定するための支え帯部材固定部２１を有する非伸縮性の支え帯部材２０と、使用者Ｍの腰部２に配置可能な腰部部材３０であり、腰部部材３０の外面に腰部部材３０を固定するための腰部部材固定部３５を有する非伸縮性の腰部部材３０と、長さ調整手段５７が設けられ、伸縮性を有するベルト部材４０の内面には、支え帯部材２０の支え帯部材固定部２１と腰部部材３０の腰部部材固定部３５を選択的に着脱自在に固定するためのベルト部材固定部５６を有する、ベルト部材４０は支え帯部材２０または腰部部材３０を選択的に着脱自在に固定される。【選択図】        図１
2005042225.tif 000002
【特許請求の範囲】
【請求項１】
少なくとも妊娠中の使用者の腹部の下方位置に配置可能である支え帯部材であり、前記支え帯部材を固定するための支え帯部材固定部を有する非伸縮性の前記支え帯部材と、
前記使用者の腰部に配置可能な腰部部材であり、前記腰部部材の外面に前記腰部部材を固定するための腰部部材固定部を有する非伸縮性の前記腰部部材と、
長さ調整手段が設けられ、伸縮性を有するベルト部材であり、前記ベルト部材の内面には、前記支え帯部材の前記支え帯部材固定部と前記腰部部材の前記腰部部材固定部を選択的に着脱自在に固定するためのベルト部材固定部を有する前記ベルト部材と、を備え、
前記ベルト部材は、前記支え帯部材または前記腰部部材が選択的に着脱自在に固定されることを特徴とする妊婦および経産婦用支持具。
【請求項２】
前記支え帯部材の上端縁が上方に向けて湾曲しており、前記支え帯部材の下端縁の略中央部には上方にのびる縫合線が配置されるとともに、前記下端縁が上方に湾曲するようにして前記上端縁と前記下端縁が略平行とされていることを特徴とする請求項１に記載の妊婦および経産婦用支持具。
【請求項３】
前記腰部部材は、縦方向に沿って二本の骨格部を有し、前記腰部部材の下端の両端部が凸状に形成されていることを特徴とする請求項１に記載の妊婦および経産婦用支持具。
【請求項４】
前記ベルト部材は、前記ベルト部材固定部が形成された領域が最も広い幅となるよう構成されていることを特徴とする請求項１に記載の妊婦および経産婦用支持具。
【請求項５】
前記ベルト部材の略中央領域に前記ベルト部材固定部が形成されており、
前記ベルト部材の一方の端部に端部固定部が形成され、
前記ベルト部材の他方の端部領域を前記端部固定部で固定するよう、前記ベルト部材の長さ調整手段が形成されていることを特徴とする請求項１に記載の妊婦および経産婦用支持具。
【請求項６】
前記ベルト部材の端部固定部は、一方の端部の外面に形成された外側固定面によって形成されて、他方の端部領域の内面に形成された内側固定面に着脱するよう構成されており、
前記他方の端部領域における前記内側固定面よりも先端領域を、一方の端部領域の外面側に保持するための端部保持手段が形成されていることを特徴とする請求項５に記載の妊婦および経産婦用支持具。
【請求項７】
前記ベルト部材に対して前記腰部部材を配置した際に、前記ベルト部材の内周側における前記腰部部材と対向する対向位置に配置可能な腹部圧迫部材であり、前記腹部圧迫部材の外面には前記腹部圧迫部材を前記ベルト部材の前記対向位置に固定するための腹部圧迫部材固定部を有する非伸縮性の前記腹部圧迫部材を有していることを特徴とする請求項１に記載の妊婦および経産婦用支持具。
【発明の詳細な説明】
【０００１】
【発明の属する技術分野】
本発明は、妊娠中もしくは出産後の使用者が着用することにより、使用者の腹部と腰部をサポートするための妊婦および経産婦用支持具に関するものである。
【０００２】
【従来の技術】
妊娠から出産までの間、女性の腹部には胎児の成長に伴って所謂妊娠脂肪が形成され、胎児を保護するようになっている。また、出産の直後において、子供の頭の大きさくらいにまで大きくなった子宮は、短期間のうちに鶏卵くらいの大きさにまで収縮する。このため、産褥期の間に腹部を自由にすると、妊娠脂肪のため妊娠肥満をおこす原因となる。さらに、腹部の膨らみに伴って妊娠中に腰痛が発生することがある。
【０００３】
使用者が妊娠している時には、大きくなった腹部を下側から支えて、膨らんだ腹部による腰への負担を低減して腰痛を和らげると共に、腹部を安定して保護することが望ましい。このため、この腹部を支えるための支え帯が必要となり、この支え帯が提案されている（たとえば特許文献１）。
また、出産後１ヵ月程度は子宮を収縮させて、体型を補正するために、腹部を圧迫する必要がある。
さらに、妊娠中の使用者には、腰痛の発生が多く見られるために、腰部を固定するためのベルトが必要であり、このようなベルトが提案されている（たとえば特許文献２）。
【０００４】
【特許文献１】
特開平８−１９５６０号公報（第３頁乃至第５頁、図４）
【特許文献２】
特開平１０−４６４０６号公報（第３頁乃至第５頁、図１）
【０００５】
【発明が解決しようとする課題】
上述したように、妊娠時に大きくなった腹部を支えるために支え帯が提案されており、腰痛が発生した場合には腰部の固定ベルトが提案されているが、妊娠時から出産後における女性の体の変化に応じて、妊娠中の腹部を支え、出産後の腹部の戻りを促すと共に、腰部を固定するという体形の変化段階における、いずれに対しても使用することができる妊婦および経産婦用支持具は提案されていない。
そこで本発明は上記課題を解消し、使用者が妊娠している時から出産した後において、大きくなった腹部を支えることができるとともに、腰痛の発生を軽減することができる妊婦および経産婦用支持具を提供することを目的としている。
【０００６】
【課題を解決するための手段】
第１の発明は、少なくとも妊娠中の使用者の腹部の下方位置に配置可能である支え帯部材であり、前記支え帯部材を固定するための支え帯部材固定部を有する非伸縮性の前記支え帯部材と、前記使用者の腰部に配置可能な腰部部材であり、前記腰部部材の外面に前記腰部部材を固定するための腰部部材固定部を有する非伸縮性の前記腰部部材と、長さ調整手段が設けられ、伸縮性を有するベルト部材であり、前記ベルト部材の内面には、前記支え帯部材の前記支え帯部材固定部と前記腰部部材の前記腰部部材固定部を選択的に着脱自在に固定するためのベルト部材固定部を有する前記ベルト部材と、を備え、前記ベルト部材は、前記支え帯部材または前記腰部部材が選択的に着脱自在に固定されることを特徴とする妊婦および経産婦用支持具である。
【０００７】
上記構成によれば、非伸縮性の支え帯部材は、少なくとも妊娠中の使用者の腹部の下方位置に配置可能である。この支え帯部材は、支え帯部材を固定するための支え帯部材固定部を有している。
非伸縮性の腰部部材は、使用者の腰部に配置可能である。この腰部部材は、その外面に腰部部材を固定するための腰部部材固定部を有している。
ベルト部材は、長さ調整手段が設けられ、伸縮性を有している。ベルト部材は、その内面には支え帯部材の支え帯部材固定部と、腰部部材の腰部部材固定部とを選択的に着脱自在に固定するためのベルト部材固定部を有している。
ベルト部材は、支え帯部材または腰部部材を選択的に着脱自在に固定できるようになっている。
【０００８】
これにより、ベルト部材に対して支え帯部材を着脱可能に固定することにより、支え帯部材は、少なくとも妊娠中の使用者の腹部の下方位置に配置して、大きくなった腹部を確実に支持することができる。
また腰部部材をベルト部材に対して着脱可能に固定して、腰部部材は使用者の腰部に配置することにより、腰痛の軽減を図ることができると共に、ベルト部材を締めることによって下腹部を押えることで、子宮の収縮や下腹部の補正を促す。
しかも、ベルト部材の長さ調節手段によって、長さを調整して装着することが可能とされており、ベルト部材が伸縮性を有することで適切な状態に維持されるため、妊娠から出産および産後という急激な使用者の体形の変化に応じて装着することができる。
このようにして、本発明の妊婦および経産婦用支持具は、妊娠中の使用者の腹部を支えることができるとともに、妊娠中もしくは出産後において女性の体に発生する腰痛の軽減が図れ、妊娠から出産後における女性の体の変化に応じて腹部と腰部のいずれも確実に支持することができる。
【０００９】
第２の発明は、第１の発明の構成において、前記支え帯部材の上端縁が上方に向けて湾曲しており、前記支え帯部材の下端縁の略中央部には上方にのびる縫合線が配置されるとともに、前記下端縁が上方に湾曲するようにして前記上端縁と前記下端縁が略平行とされていることを特徴とする。
【００１０】
上記構成によれば、支え帯部材の上端縁が上方に向けて湾曲している。支え帯部材の下端縁の略中央部には上方にのびる縫合線が配置されているとともに、前記下端縁が上方に湾曲するようにして上端縁と下端縁が略平行になっている。
これにより、上端縁と下端縁が略平行で上端縁が凸状に湾曲していることから、下端縁は凹状になっている。下端縁が凹状になっているので、下端縁が下腹部に食い込むことを防ぐ。上端縁が凸状になっていて上端縁と下端縁が略平行に形成されているので、支え帯部材は腹部をバランスよく支えることができる。
しかも、上方にのびる縫合線が配置されているため、立体的に支え帯部材が形成されることとなり、膨らんだ下腹部にフィットして支えることができる。
【００１１】
第３の発明は、第１の発明の構成において、前記腰部部材は、縦方向に沿って二本の骨格部を有し、前記腰部部材の下端の両端部が凸状に形成されていることを特徴とする。
【００１２】
上記構成によれば、腰部部材は、縦方向に沿って二本の骨格部を有している。腰部部材の下端部の両端部が凸状に形成されている。
これにより、二本の骨格部は、背骨に沿って配置させることができ、立った状態等の背中や骨盤にかかる負担を低減するよう補助することとなる。しかも、腰骨の形状に合わせてのびている凸状の下端の両端部によって、腰部部材が骨盤を覆って補助し、確実に腰部を支えることができる。
【００１３】
第４の発明は、第１の発明の構成において、前記ベルト部材は、前記ベルト部材固定部が形成された領域が最も広い幅となるよう構成されていることを特徴とする。
上記構成によれば、ベルト部材固定部が形成されたベルト部材の領域が、他の領域よりも幅広とされている。
これにより、支え帯部材や腰部部材が取り付けられ、ベルト部材において最も保持する力が必要となる領域が、広い幅を有する保持面となり、腹部や腰部に対する保持力を高めることが可能とされると共に、支え帯部材や腰部部材が使用時にずれることが無く、確実に固定することができる。
【００１４】
第５の発明は、第１の発明の構成において、前記ベルト部材の略中央領域に前記ベルト部材固定部が形成されており、前記ベルト部材の一方の端部に端部固定部が形成され、前記ベルト部材の他方の端部領域を前記端部固定部で固定するよう、前記ベルト部材の長さ調整手段が形成されていることを特徴とする。
上記構成によれば、ベルト部材固定部がベルト部材の略中央領域に形成されている。さらに、長さ調整手段は、一方の端部に端部固定部が形成されて、他方の端部領域を端部固定部で固定する。
これにより、ベルト部材の中央領域に支え帯部材または腰部部材を固定し、一方の端部に形成された端部固定部によって、他方の端部領域を一方の端部と固定することとなり、装着時にベルト部材の長さを調整することが可能とされて、容易に体形の変化に応じた位置でベルト部材を装着することができる。
【００１５】
第６の発明は、第５の発明の構成において、前記ベルト部材の端部固定部は、一方の端部の外面に形成された外側固定面によって形成されて、他方の端部領域の内面に形成された内側固定面に着脱するよう構成されており、前記他方の端部領域における前記内側固定面よりも先端領域を、一方の端部領域の外面側に保持するための端部保持部が形成されていることを特徴とする。
上記構成によれば、ベルト部材の一方の端部における外面に形成された外側固定面を、他方の端部領域の内面に形成された内側固定面に着脱することで、端部固定部が構成されている。
さらに、端部保持部によって、他方の端部領域側で内側固定面よりも先端側となる領域を、外側固定面が形成された一方の端部領域の外面側に保持することができる。
これにより、長さ調整手段である端部固定部は、外側固定面を内側固定面に固定するという簡単な操作によって着脱が可能とされて、長さの調整を行うことができる。
しかも、内側固定面が形成された他方の端部領域側で、内側固定面よりも先端側となる領域を、外側固定面が形成された一方の端部領域側の外面で保持することができるため、長さ調整を行って比較的長いベルト部材を短い状態で使用する場合でも、他方の端部領域における先端側が垂れ下がる等、取り扱いにおける問題が発生することがない。
【００１６】
第７の発明は、第１の発明の構成において、前記ベルト部材に対して前記腰部部材を配置した際に、前記ベルト部材の内周側における前記腰部部材と対向する対向位置に配置可能な腹部圧迫部材であり、前記腹部圧迫部材の外面には前記腹部圧迫部材を前記ベルト部材の前記対向位置に固定するための腹部圧迫部材固定部を有する非伸縮性の前記腹部圧迫部材を有していることを特徴とする。
【００１７】
上記構成によれば、ベルト部材に対して腰部部材を配置した際に、ベルト部材の内周側における腰部部材と対向する対向位置に配置可能な腹部圧迫部材を用いる。この腹部圧迫部材の外面には、腹部圧迫部材をベルト部材の対向位置に固定するための腹部圧迫部材固定部を有している。この腹部圧迫部材は非伸縮性のものである。
これにより、ベルト部材だけでなく、腹部圧迫部材によっても、下腹部への圧迫を行うことができ、出産後の子宮の収縮を促して、下腹部の体型補正を行う機能を強化することができる。
【００１８】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１９】
第１の実施形態
図１〜図１４は本発明の妊婦および経産婦用支持具の好ましい第１の実施形態を示している。
図１は、妊婦および経産婦用支持具１０の各構成要素を示す斜視図である。図２および図３は、図１の妊婦および経産婦用支持具１０を使用者の妊娠時において使用している例を示す図である。図４と図５は、図１に示す妊婦および経産婦用支持具１０で出産後における腰部をサポートして腰痛を軽減している例である。
【００２０】
図１を参照して、妊婦および経産婦用支持具１０の構成要素について説明する。
妊婦および経産婦用支持具１０は、支え帯部材２０と、腰部部材３０およびベルト部材４０を有している。
図１に示す支え帯部材２０は、図２と図３に示すように、少なくとも妊娠時に大きくなった腹部１の下腹部を支えるための部材である。支え帯部材２０は、伸縮性を有さない、すなわち非伸縮性の部材である。
【００２１】
図１に示す腰部部材３０は、図４と図５に示すように妊娠時乃至出産後における腰部をサポートして腰痛を軽減するための部材である。この腰部部材３０は、伸縮しない、すなわち非伸縮性の部材である。
図１に示すベルト部材４０は、図１に示す支え帯部材２０または腰部部材３０を着脱可能に固定して、使用者Ｍに装着するための部材である。このベルト部材４０は、少なくともベルト部材４０が伸びる方向に対する伸縮性を有する部材である。図１のベルト部材４０は、第１の実施形態では第１ベルト４１と第２ベルト４２を有する。
【００２２】
まず図１に示す支え帯部材２０の構造について詳しく説明する。
支え帯部材２０は、図６乃至図８により詳しく具体的に図示している。
図６と図７に示す支え帯部材２０は、略矩形状の部材であり、非伸縮性を有している。支え帯部材２０は、図６に示すように上端縁２０ａ、下端縁２０ｂ、右端縁２０ｅおよび左端縁２０ｄを有している。支え帯部材２０は、支え帯パーツとも呼んでいる。
【００２３】
支え帯部材２０は、図２と図３に示すように、妊娠中の使用者Ｍの腹部１の下方位置に配置可能である。支え帯部材２０は、その外面に支え帯部材固定部（支え帯部材固定面とも呼ぶ）２１を有している。
第１の実施形態では、この支え帯部材固定部２１は、支え帯部材２０の外面２０ｇの略全面にわたって形成されている。支え帯部材固定部２１は、たとえば面ファスナーの雌部材を使用することができる。
【００２４】
図６に示すように、支え帯部材２０の外面２０ｇは、縫合線（ダーツとも呼ぶ）２２を有している。この縫合線２２は、下端縁２０ｂから上端縁２０ａ側へ上方に向けて形成されている。縫合線２２の一端部は下端縁２０ｂ近くまで達しているが、縫合線２２の他端部は、上端縁２０ａと下端縁２０ｂの略中間位置に達している。縫合線２２は、右端縁２０ｅと左端縁２０ｄと略平行である。
この縫合線２２を形成することにより、図６と図７に示すように、支え帯部材２０は、大きくなった腹部の曲面状の外周面形状に合わせて図６の突出方向Ｊに沿って突出するように立体的に成形されている。
【００２５】
図７に示すように、上端縁２０ａは、好ましくは上方Ｋに向けて僅かに湾曲している。下端縁２０ｂは、好ましくはやはり上方Ｋに向けて僅かに湾曲している。このことから、上端縁２０ａと下端縁２０ｂは略平行になっている。下端縁が上方に湾曲した凹形状になっていることから、下端縁２０ｂが図２に示すような使用状態において下腹部の下側に食い込むことを防ぐことができる。
また上端縁２０ａは凸形状になっているので、上端縁２０ａと下端縁２０ｂは略平行であり、図２の使用例で示すように、支え帯部材２０は、腹部１の下腹部をバランスよく支えることができる。
図６と図７に示す支え帯部材２０は、その全面にわたって通気性をよくするために無数の穴２０Ｐを形成するのが望ましい。
【００２６】
図１２は、図６に示す支え帯部材２０のＢ−Ｂ線における断面構造例を示している。
図１２に示す支え帯部材２０の断面構造例としては、たとえば外面層２４、中間層２５および内面層２６を有している。外面層２４の表面には、上述した支え帯部材固定部２１が形成されている。外面層２４としては、たとえばナイロン等により作られている。そして、外面層２４はその外面が微細なループ状とされた面ファスナーの雌部材となるよう構成されている。中間層２５は、たとえばブタジエン樹脂の発泡体や、ポリウレタンフォーム等である。そして、中間層２５は支え帯部材２０における非伸縮性を確保できるよう伸縮性がない一定の強度を有しており、確実にＪ方向への立体を維持することができるだけでなく、中間層２５によって、支え帯部材２０は腹部を保護し、保温することができる素材とされている。内面層２６は、直接腹部に接する面なので吸湿性や通気性をよくするためにたとえば綿等を使用している。なお、通気孔となる無数の穴Ｐは、特に通気性に劣る中間層２５のみに形成しても良い。
図６と図７に示すように、図１２に示す支え帯部材２０の積層構造の周囲部分は、バインダ２７を用いて縫い合わせにより固定されている。
【００２７】
図８（Ａ）に示す支え帯部材２０は、図示を簡単化していて、上端縁２０ａ、下端縁２０ｂ、右端縁２０ｅおよび左端縁２０ｄを示している。支え帯部材２０は、たとえば台形状の原反２９に対して三角形状の切欠き部２８を形成したものから作られている。この切欠き部２８を、縫合することにより縫合部２２を形成する。
これによって、図６と図８（Ａ）に示すように支え帯部材２０は図６のＪ方向に突出した立体形状に簡単かつ確実に形成することができる。このような立体形状に支え帯部材２０を形成することにより、支え帯部材２０は大きく、丸くなった下腹部の外形形状に合わせて確実にフィットするようになる。この場合には、右端縁２０ｅと左端縁２０ｄは略平行である。
【００２８】
しかし、これに代えて図８（Ｂ）に示すように、右端縁２０ｅと左端縁２０ｄが、平行ではなく、上端縁２０ａよりも下端縁２０ｂ側の幅が広く形成された略台形形状にしても勿論構わない。このように右端縁２０ｅと左端縁２０ｄを平行でないようにすることにより、後で説明する第１ベルト４１と第２ベルト４２により、Ｒ方向に沿って支え帯部材２０を持ち上げるようにして支え帯部材２０を固定することができる。これによって、支え帯部材２０は、下腹部をさらに確実にＲ方向に持ち上げるようにして支えることができるのである。
【００２９】
次に、図１に示す腰部部材３０の構造について説明する。
腰部部材３０は、非伸縮性の部材であり、図４と図５に示すように、妊娠時から出産後における使用者Ｍの腰部２をサポートすることで、腰痛を軽減するために用いる。
腰部部材３０の具体的な形状は、図９に示している。図９（Ａ）は、腰部部材３０の外面側を示しており、図９（Ｂ）は、腰部部材３０の内面側を示している。
腰部部材３０は、図９に示すように上端縁３０ａと下端縁３０ｂ、右端縁３０ｅおよび左端縁３０ｄを有している。
【００３０】
上端縁３０ａは、Ｓ方向に向けて凹形状になっている。下端縁３０ｂは、Ｔ方向に向けて凹形状になっている。右端縁３０ｅは、Ｕ方向に向けて凹形状になっている。左端縁３０ｄは、Ｖ方向に向けて凹形状になっている。つまり、上端縁３０ａと下端縁３０ｂ、右端縁３０ｅおよび左端縁３０ｄはそれぞれ略中間領域において内側に窪んだ凹状とされている。このことから、上端縁３０ａの両側には、凸状部分３１，３１が形成されている。同様にして下端縁３０ｂの両側にも、凸状部分３２，３２が形成されている。
下端縁３０ｂの両端の凸状部分３２，３２が形成されていて、しかも上端縁３０ａの両端側にも凸状部分３１，３１が形成されていることにより、腰骨の形状に合わせて確実に腰部を支えることができる。このようにして腰部部材３０は、図４と図５に示すように、使用者Ｍの腰部２を覆って、腰部２を保護し、骨盤を支える補助を行うことができる。
【００３１】
図９に示すように、腰部部材３０は、下方向であるＳ方向に沿って、２本の骨格部３４が内蔵されている。この骨格部３４は、ボーンとも呼んでいる。ここでは骨格部３４，３４は、背骨に沿って縦方向に平行になるように間隔をあけて配列されている。このように骨格部３４，３４が設けられていることにより、骨格部３４，３４は背骨に沿って配置することができ、立った状態等における背骨にかかる縦方向の負担を、両側から支えるように補助し、凸状部分３２，３２とともに、腰部を確実に支えることができる。
図９（Ａ）に示すように、腰部部材３０の外面３０ｇ側には、腰部部材固定部３５が好ましくは外面３０ｇの全面にわたって設けられている。この腰部部材固定部３５は、たとえば面ファスナーの雌部材である。
【００３２】
図１３は、図９（Ａ）に示す腰部部材におけるＣ−Ｃにおける断面構造例を示している。
図１３においては、腰部部材３０は外面層３６、中間層３７Ａ，３７Ｂ、内面層３８および骨格部３４，３４を有している。
外面層３６は、たとえばナイロン等を使用している。そして、外面層３６はその外面が微細なループ状とされた面ファスナーの雌部材となるよう構成されている。中間層３７Ａ，３７Ｂは、たとえばブタジエン樹脂の発泡体や、ポリウレタンフォーム等を使用している。そして、中間層３７Ａ，３７Ｂは腰部部材３０における非伸縮性を確保できるよう伸縮性がない一定の強度を有しており、確実に腰部部材３０の形状を維持することができるだけでなく、中間層３７Ａ，３７Ｂによって、腰部部材３０は腰部を保護し、保温することができる素材とされている。しかも骨格部３４と内面層３８の間に配置された中間層３７Ｂは、比較的硬い骨格部３４が身体に当たった感触を与えないためのクッション層としても機能する。内面層３８は、腰部２に直接接触するのでたとえば吸湿性や通気性に優れた綿等を使用している。
骨格部３４は、中間層３７Ａ，３７Ｂの間に配置されている。たとえば骨格部３４は弾性変形能力に優れたプラスチックまたは他の材質を使用することができ、平板状の部材である。
【００３３】
図９に示す腰部部材３０には、通気性をよくするために、好ましくは無数の穴が形成されていることが好ましいが、特に通気性に劣る中間層３７Ａ，３７Ｂのみに形成されていても良い。
図１３に示す外面層３６には、腰部部材固定部３５が形成されている。図１３に示す腰部部材固定部３５と図１２に示す支え帯部材固定部２１は、たとえば面ファスナーの雌部材を採用することができる。
【００３４】
次に、図１に示すベルト部材４０の第１ベルト４１と第２ベルト４２について説明する。
上述したようにベルト部材４０は、第１の実施形態では二本の第１ベルト４１と第２ベルト４２を有している。第１ベルト４１は、図１０に示しており、第２ベルト４２は図１１に示している。
【００３５】
図１、図１０に示す第１ベルト４１と、図１１に示す第２ベルト４２は、好ましくは左右同じ形状の部材である。
第１ベルト４１は、図１と図１０に示すように、一方の端部５１と他方の端部５２および中間部５３を有している。図１０（Ａ）は、第１ベルト４１の外面５４側を示しており、図１０（Ｂ）は第１ベルト４１の内面５５側を示している。
【００３６】
一方の端部５１は、たとえば略台形状を有している。中間部５３および他方の端部５２は帯状になっていて、一方の端部５１に比べて幅が小さくなっている。一方の端部５１の内面側には、支え帯部材２０と腰部部材３０を選択的に着脱可能なベルト部材固定部５６が設けられており、ベルト部材固定部５６が形成された部分の幅が最も広くなるよう構成されている。これに対して他方の端部５２の内面側には、長さ調整手段としての別のベルト部材固定部５７が設けられている。ベルト部材固定部５６とベルト部材固定部５７は、たとえば面ファスナーの雄部材を採用することができる。
図１０（Ａ）に示す第１ベルト４１の外面５４は、好ましくはその略全面にわたって外面固定部５８を有している。この外面固定部５８は、たとえば面ファスナーの雌部材である。外面固定部５８は外面固定面とも呼んでいる。
【００３７】
図１１に示す第２ベルト４２の構造は、図１０に示す第１ベルト４１の構造と同じである。したがって図１１に示す第２ベルト４２の各要素については、図１０に示す第１ベルト４１の各対応する要素と同じ用語および符号を用いており、その説明は省略する。第１ベルト４１と第２ベルト４２は、伸縮性を有する部材により作られている。
【００３８】
図１０と図１１に示す第１ベルト４１と第２ベルト４２の外周囲は、バインダ４００により縫合されている。同様にして図６に示す支え帯部材２０の外周囲はバインダ２７により縫合されている。さらに図９に示す腰部部材３０の外周囲はバインダ３９Ａにより縫合されている。
図１０と図１１に示す第１ベルト４１と第２ベルト４２は、Ｅ方向、すなわち第１ベルト４１と第２ベルト４２の長手方向に沿って伸縮できるようになっている。
【００３９】
図１４は、図１０（Ａ）と図１１（Ａ）における第１ベルト４１と第２ベルト４２のＡ−Ａ線における断面構造例を示している。
第１ベルト４１と第２ベルト４２の外面層６０は、たとえばナイロン等により作られている。そして、外面層６０はその外面が微細なループ状とされた面ファスナーの雌部材となるよう構成されている。中間層６１は、伸縮性に優れるたとえばポリウレタン等により形成されている。内面層６２は、使用者の腹部や腰部に直接接触する場合があるので、吸湿性や通気性に優れたたとえば綿等により作られている。
外面層６０の外側には、外面固定部５８が形成されている。外面固定部５８は、たとえば面ファスナーの雌部材である。
なお、支え帯部材２０や腰部部材３０、ベルト部材４０はいずれも適切に選択した積層状態を記載しているが、他の層を加えてもよく、各中間層２５，３７，６１を除いてもよい。
【００４０】
次に、上述した図１に示す妊婦および経産婦用支持具１０の使用例について説明する。
使用者が妊娠中に腹部を支えるための使用例
図２と図３に示すように使用者Ｍが妊娠中に、大きくなった腹部１をサポートする際には、図１に示す支え帯部材２０と第１ベルト４１、第２ベルト４２を用いて腹部１、特に下腹部を下側から斜め上方に支えるようサポートすることができる。
【００４１】
第１ベルト４１のベルト部材固定部５６は、使用者Ｍにより支え帯部材２０の支え帯部材固定部２１に対して、着脱可能にあらかじめ固定してある。同様にしてあらかじめ第２ベルト４２のベルト部材固定部５６は、使用者Ｍにより支え帯部材２０の支え帯部材固定部２１に対して、着脱可能に固定してある。使用者Ｍはこの支え帯部材２０の内面側を、大きくなった腹部１の下腹部に当てて配置する。
【００４２】
そして、使用者Ｍは、第１ベルト４１の他方の端部５２を腹部１から腰部２側に回す。これによって第１ベルト４１の長さ調整手段である他方の端部５２のベルト部材固定部５７を、第２ベルト４２の外面固定部５８に対してやや引っ張りながら、第２ベルト４２のＥ方向に位置を調整しながら着脱可能に固定する。ベルト部材固定部５７はたとえば面ファスナーの雄部材であり、外面固定部５８は面ファスナーの雌部材であるので、ベルト部材固定部５７は簡単に着脱可能にＴ方向の位置を調整しながら固定することができる。
【００４３】
同様にして、第２ベルト４２の他方の端部５２は、腹部１から腰部２を回して反対側に位置させる。もう一つの長さ調整手段である他方の端部５２のベルト部材固定部５７は、第１ベルト４１の外面固定部５８に対してやや引っ張りながら、第１ベルト４１のＥ方向に位置を調整しながら着脱自在に固定する。
このようにすることで、使用者Ｍは、第１ベルト４１と第２ベルト４２をそれぞれ反対側に回して位置を調整しながら他方のベルトにおける外面固定部５８に対して密着させるだけで、簡単に支え帯部材２０を腹部１の下部を支えるようにして固定することができる。
【００４４】
妊娠時から出産後における腰部をサポートする場合
この場合には、図４と図５に示すように、使用者Ｍは、あらかじめ腰部部材３０の腰部部材固定部３５に対して、第１ベルト４１のベルト部材固定部５６を着脱可能に固定するとともに、第２ベルト４２のベルト部材固定部５６も着脱可能に固定する。
そして腰部部材３０は、使用者Ｍの腰部２に当てるとともに、使用者Ｍは第１ベルト４１と第２ベルト４２を互いに反対方向に沿って腹部側を通じて回す。
これによって、第１ベルト４１の長さ調整手段である他方の端部５２のベルト部材固定部５７は、第２ベルト４２の一方の端部５１側の外面固定部５８に対してＥ方向に位置を調整するようにして引っ張りながら着脱可能に固定することができる。
同様にして第２ベルト４２の長さ調整手段である他方の端部５２のベルト部材固定部５７は、第１ベルト４１の一方の端部５１側の外面固定部５８に対してＥ方向に位置を調整しながら着脱可能に固定することができる。
このようにして、腰部部材３０は、第１ベルト４１と第２ベルト４２を用いて、背骨に沿って確実に位置決めしながら固定することができる。
腰部部材３０は、出産後において、腰部を覆って保護すると共に、骨格部３４と協同して腰や背骨を支えることにより、使用者の腰痛の緩和を図ることができる。
しかも、図５に示されるように、ベルト部材４０によって下腹部を覆う構成とされているため、子宮の収縮を促すと共に、下腹部の妊娠肥満を予防することができる。
【００４５】
図２と図３における妊娠時における少なくとも下腹部のサポートをする使用例と、図４と図５における腰部をサポートする使用例のいずれにおいても、第１ベルト４１と第２ベルト４２はそれぞれ伸縮性を有しているので、支え帯部材２０もしくは腰部部材３０を適切な力を加えながら使用者の身体に装着することができる。
しかも、各ベルト部材固定部５６が設けられた部位は、ベルト部材４０において最も広幅とされているため、確実に支え帯部材２０や腰部部材３０を固定すると共に、下腹部の重みを支えたり、腰部への保持を行うことができる。
図２乃至図５のいずれの使用例においても、ベルト部材４０は、複数のベルト、すなわち第１ベルト４１と第２ベルト４２から構成されているので、使用者Ｍは、左右対称のベルト部材を用いて、左右バランスよく方向性をなくしながら確実に支え帯部材２０または腰部部材３０を装着することができるのである。
また、腹部の膨らみが小さい妊婦等、体形の違いがあった場合においても、支え帯部材固定部２１や腰部部材固定部３５も面ファスナーの雌部材とされているため、面ファスナーの雄部材よりなるベルト部材固定部５７を支え帯部材固定部２１や腰部部材固定部３５に固定することもできる。つまり、第１ベルト４１と第２ベルト４２、支え帯部材２０、腰部部材固定部３５の外面における全てがベルト部材固定部５７に対して固定可能とされている。
なお、図２乃至図５における使用例において取り外す場合には、使用者は、第１ベルト４１と第２ベルト４２のそれぞれの他方の端部５２のベルト部材固定部５７を、第２ベルト４２と第１ベルト４１の外面固定部５８から剥がすだけで、簡単に支え帯部材２０または腰部部材３０の装着状態を解消することができる。
【００４６】
第２の実施形態
図１５乃至図１７は、本発明の妊婦および経産婦用支持具の第２の実施形態を示している。
図１５に示す妊婦および経産婦用支持具１００は、一本のベルト部材１４０、支え帯部材２０および腰部部材３０を有している。
図１５に示す妊婦および経産婦用支持具１００が、図１に示す妊婦および経産婦用支持具１０と大きく異なるのは、ベルト部材４０の構造である。図１に示すベルト部材４０は、既に述べたように第１ベルト４１と第２ベルト４２から構成されている。これに対して、図１５では、ベルト部材１４０は一本のベルトである。これにより、部品点数を減らすことができる。
【００４７】
図１５に示す支え帯部材２０と腰部部材３０は、図１に示す支え帯部材２０と腰部部材３０と同様なものを使用することができる。
ベルト部材１４０は、Ｅ方向、すなわち長手方向に伸縮性を有する部材である。ベルト部材１４０の断面構造は、図１に示す第１ベルト４１と第２ベルト４２の構造と同様のものを採用できるが、図１に示す第１ベルト４１と第２ベルト４２よりも伸縮力が強くなるよう構成されていることが好ましい。ベルト部材１４０は、一方の端部１５１と他方の端部１５２および中間部１５３を有している。
一方の端部１５１の内面には、ベルト部材固定部１５６が設けられている。他方の端部１５２の内面には、長さ調整手段であるベルト部材固定部１５７が設けられている。ベルト部材固定部１５６とベルト部材固定部１５７は、ともにたとえば面ファスナーの雄部材を採用することができる。
図１６は、妊婦および経産婦用支持具１００の妊娠時における使用例を示しており、図１７は、出産後における腰部サポート例を示している。
【００４８】
図１６に示すように、妊娠時には、少なくとも支え帯部材２０は腹部１の下腹部に当てる。支え帯部材固定部２１に対してベルト部材１４０において最も幅広とされた一方の端部１５１のベルト部材固定部１５６は、あらかじめ着脱可能に固定してある。
そして使用者Ｍは、ベルト部材１４０を腰部２から後ろに回して、ベルト部材１４０の他方の端部１５２のベルト部材固定部１５７を支え帯部材固定部２１に対して着脱可能にＥ方向に位置を調整しながら固定する。
これによって、支え帯部材２０は、一本のベルト部材１４０を用いて、下腹部に対して密着しながら確実に下腹部を支持することができる。
【００４９】
図１７に示すように、出産後において腰部をサポートする場合には、使用者は、腰部２に対して腰部部材３０を当てた状態で、一本のベルト部材１４０により腰部部材３０を支持することができる。この場合に、ベルト部材１４０の一方の端部１５１のベルト部材固定部１５６が図１５に示す腰部部材固定部３５に対してあらかじめ着脱可能に固定されている。またベルト部材１４０の他方の端部１５２のベルト部材固定部１５７が、図１５の腰部部材固定部３５に対してＥ方向に位置を調整しながら着脱可能に固定される。
この時、ベルト部材１４０の伸縮力が優れているため、胎児によって腹部が膨らみ腹囲が大きい妊娠時に対し、出産が行われ腹囲が小さくなった出産後でも共通して使用する事ができる。
【００５０】
第３の実施形態
図１８乃至図２１は、本発明の妊婦および経産婦用支持具２００の第３の実施形態を示している。
図１８は、妊婦および経産婦用支持具２００が妊娠時において使用される場合の構成要素例を示していて、図１９は、妊婦および経産婦用支持具２００が産後の初期乃至後期において使用する場合の構成要素例を示している。
図１８の妊娠時における使用例では、妊婦および経産婦用支持具２００は、ベルト部材２４０と、支え帯部材２２０を有している。これに対して、図１９に示す産後の初期乃至後期における使用例では、妊婦および経産婦用支持具２００は、ベルト部材２４０、腰部部材３３０および腹部圧迫部材３００を備えている。
【００５１】
まず図１８を参照する。妊娠時、すなわち産前においては、図１８に示すように一本のベルト部材２４０と１つの支え帯部材２２０を使用する。ベルト部材２４０は、帯状の部材であり、伸縮性を有しているが、上述した各実施の形態よりも比較的弱い伸縮力でも機能することができる。
ベルト部材２４０は端部保持手段であるベルト受け２４４を備えている。ベルト部材２４０の一方の端部２５１の外面には、長さ調整手段として、端部固定部であって外側固定面として機能する外面固定部２５３が設けられている。この外面固定部２５３は、たとえば面ファスナーの雄部材である。この外面固定部２５３は、ベルト部材２４０の一方の端部２５１側であって外面２５４側に設けられている。ベルト部材２４０の内面２５５は、少なくとも他方の端部領域である２５９の内面、好ましくはその全面にわたって内側固定面として機能する内面固定部２５６が形成されている。この内面固定部２５６は、たとえば面ファスナーの雌部材である。内面固定部２５６は、外面固定部２５３に対して着脱可能に固定するようになっている。
【００５２】
支え帯部材２２０は、たとえばほぼ矩形状の部材であり、縫合線２２２を有している。支え帯部材２２０の外面２２７側には、支え帯部材固定部２３０が設けられている。
この支え帯部材固定部２３０は、ベルト部材２４０の長手方向であるＥ方向に平行になるようなたとえば帯状の部材であり、たとえば面ファスナーの雄部材を採用することができる。このために、支え帯部材固定部２３０は、ベルト部材２４０の内面固定部２５６の任意の位置に対して着脱可能に固定することができる。つまり、少なくともベルト部材２４０における略中間領域に形成された内面固定部２５６は、ベルト部材固定部としても機能するよう構成されている。図１８に示す妊娠時における使用例について、具体的に図２０を参照しながら説明する。
【００５３】
図２０に示すように、支え帯部材２２０が、少なくとも腹部１の下腹部に対して配置される。この支え帯部材２２０の支え帯部材固定部２３０は、ベルト部材２４０の内面側のベルト部材固定部である内面固定部２５６に対して着脱可能に固定される。そしてベルト部材２４０は、使用者Ｍが腰部２に対して回すことにより、図１８に示すベルト部材２４０の外面固定部２５３は、内面固定部２５６の適切な位置に対してその長さを調整して確実に着脱可能に固定することができる。
この場合に、一方の端部２５１に対するＥ方向に関するベルト部材２４０の他方の端部２５９の位置を調整することにより、図２０における支え帯部材２２０が、下腹部を支える力を調整することができる。しかも、固定された内側固定部２５６よりも先端側となり、余った部分であるベルト部材２４０の他方の端部２５９は、ベルト受け２４４に通すことにより確実に保持することができる。
【００５４】
次に、図１９に示す産後の初期乃至後期における使用例について説明する。
この場合には、上述したベルト部材２４０と、既に述べた腰部部材３３０と腹部圧迫部材３００を用いる。
ベルト部材２４０は、図１８に示すベルト部材２４０をそのまま使用することができる。腰部部材３３０は、図１に示す腰部部材３０と同様の構造のものであるが、その外面３３１には、Ｅ方向に長くなるように帯状の腰部部材固定部３３５が形成されている。この腰部部材固定部３３５は、たとえば面ファスナーの雄部材である。腰部部材固定部３３５は、ベルト部材２４０のベルト部材固定部として機能する内面固定部２５６に対して着脱可能に固定することができる。
【００５５】
腹部圧迫部材３００は、図２１に示すように腰部部材３３０と同時に使用して腹部を圧迫するための部材である。これによって、産後における下腹部の圧迫を行い、腰痛の軽減とともに子宮の収縮を促し、産後の体型を矯正する機能を強化することができる。
腹部圧迫部材３００は、腹部圧迫部材固定部３０１を有している。この腹部圧迫部材固定部３０１は、腹部圧迫部材３００の外面３０３においてＥ方向に長くなるように帯状に形成されている。腹部圧迫部材固定部３０１は、ベルト部材２４０のＥ方向に沿った、たとえば長方形状の部材である。腹部圧迫部材固定部３０１は、たとえば面ファスナーの雄部材である。
なお、腹部圧迫部材３００は、支え帯部材２２０とは異なり、立体的な形状とはされておらず、比較的剛性を有する一枚のシート状とされている。
これによって、腹部圧迫部材固定部３０１は、ベルト部材２４０の内面固定部２５６に対して腰部部材３３０と対向する位置となるよう、Ｅ方向の任意の位置に対して着脱可能に固定することができる。
【００５６】
図２１は、特に産後の初期となる産後３ヶ月程度までにおける具体的な使用例を示している。この例では、腰部部材３３０の腰部部材固定部３３５が、ベルト部材２４０のベルト部材固定部となる内面固定部２５６に対して着脱可能に固定される。この腰部部材３３０は、ベルト部材２４０の略中央位置においてしかもベルト部材２４０の内面側に固定される。
これに対して腹部圧迫部材３００は、腰部部材３３０に対して対向する対向位置になるようにベルト部材２４０の内面側に固定する。すなわち、腹部圧迫部材３００の腹部圧迫部材固定部３０１は、ベルト部材２４０の内面固定部２５６に対して固定される。
【００５７】
このようにして、腰部部材３３０は、腰部２に対応するポジションＰ１に位置されるとともに、腹部圧迫部材３００は、腰部部材３３０と対向するポジションＰ２に配置される。これらの腰部部材３３０と腹部圧迫部材３００は、一本のベルト部材２４０の内面固定部２５６を用いて確実に固定することができる。
そして、ベルト部材２４０の端部固定部の外面固定部２５３は、内面固定部２５６の適切な位置に対して長さを調整して着脱可能に固定することで、腹部圧迫部材３００は腹部１を支持するとともに、腰部部材３３０は腰部２の所定の位置を支持することができる。ベルト部材２４０の余分な他方の端部２５９は、端部保持手段であるベルト受け２４４に差し込んでおく。
【００５８】
以上のようにして、本発明の第３の実施形態では、図２０に示すように、使用者Ｍが妊娠中においては、少なくとも腹部１の下腹部を確実に支持できるばかりでなく、図２１に示すように、特に産後の初期においては、腹部の圧迫によって子宮の収縮を促すと共に、腹部の形状の矯正および腰部の支持による腰痛の緩和を確実に行うことができる。
しかも、ベルト部材２４０が一本で構成され、支え帯部材３２０や腰部部材３３０の着脱や、長さ調整手段の調整を容易に行うことができる。
なお、長さ調整手段は外面固定部２５３や内面固定部２５６による構成ではなく、一般的な無段階調整ベルトやバックルによって形成されていてもよい。
【００５９】
図２２〜図２４は、本発明のさらに別の実施形態を示している。
図２２〜図２４に示す妊婦および経産婦用支持具５００は、１本のベルト部材５４０と支え帯部材２０および腰部部材３０を有している。この例では、１本形式のベルト部材５４０を用いることで、妊婦および経産婦用支持具５００の取り扱いをより容易とすると共に、コンパクト化と部品点数の削減が図れる。
【００６０】
図２４に示すように、１本のベルト部材５４０は、中央に幅広部分５５０を有している。幅広部分５５０の他方の端部には第１ベルト部分５４１が、一方の端部には第２ベルト部分５４２が一体的に接続されている。幅広部分５５０の裏面（肌当接面）側にはベルト部材固定部となる固定部６０１が設けられている。この固定部６０１はたとえば、面ファスナーの雄部材であり、この固定部には、支え帯部材２０または腰部部材３０の外面に形成された各固定部２１，３５が着脱自在に固定できる。
【００６１】
第１ベルト部分５４１は後述するように外側から第２ベルト部分５４２を覆うように配置される部分であって、裏面（肌当接面）側には固定部６０２，６０３が設けられている。他方の端部領域となる第１ベルト部分５４１における端部保持手段の一部として機能する固定部６０２は面ファスナーの雄部材であり、長さ調整手段として機能する際の内側固定面である固定部６０３は面ファスナーの雌部材である。
第２ベルト部分５４２は、第１ベルト部分５４１の内側に配置される部分であって、表面（非肌当接面）側には、固定部６２１，６２２が設けられている。一方の端部に配置されたベルト部材固定部の外側固定面として機能する固定部６２１は面ファスナーの雄部材であり、一方の端部領域となる第２ベルト部材５４２における端部保持手段の一部として機能する固定部６２２は面ファスナーの雌部材である。なお、固定部６２２は表面における固定部６２１を除く全面に形成されていてもよい。
【００６２】
図２２と図２３は、１本のベルト部材５４０を用いて、支え帯部材２０が使用者Ｍの腹部１を支持している例を示している。
図２４（Ａ）の第２ベルト部分５４２の固定部６２１が、長さ調整を行いながら、外側から覆っている第１ベルト部分５４１の固定部６０３に対して着脱自在に固定され、その後、端部の処理をするために第１ベルト部分５４１の固定部６０２が第２ベルト部分５４２の固定部６２２に対して着脱自在に固定されることで、図２４（Ｄ）に示すようにベルト長さをベルトの長手方向に沿って調整しながら、余った第１ベルト部分５４１の端部領域の固定を行い、支え帯部材２０が装着できる。
また、図２４（Ｅ）に示すように、腰部部材３０を装着する場合でも、ベルト部材５４０の幅広部分５５０が背中側にくるだけで、装着の要領は同じである。
この時、裏面に設けられた端部保持手段の一部である雄部材よりなる固定部６０２に対応して、表面に設けられた端部保持手段の一部である雌部材よりなる固定部６２２が、雄部材よりなる固定部６２１を除く表面全面に形成されていると、長さ調整によって余った端部である第１ベルト部分５４１の端部を必要に応じた位置で保持できるため好ましい。
なお、図２４（Ｂ），（Ｃ）に示されるように、ベルト部材５４０の上下が略対称とされていると、利き手に応じた向きに支え帯部材２０と腰部部材３０を装着して使用することができる。
【００６３】
本発明によれば、非伸縮性の支え帯部材は、少なくとも妊娠中の使用者の腹部の下方位置に配置可能である。この支え帯部材は、支え帯部材を固定するための支え帯部材固定部を有している。
非伸縮性の腰部部材は、使用者の腰部に配置可能である。この腰部部材は、その外面に腰部部材を固定するための腰部部材固定部を有している。
ベルト部材は、長さ調整手段が設けられ、伸縮性を有している。ベルト部材は、その内面には支え帯部材の支え帯部材固定部と、腰部部材の腰部部材固定部を選択的に着脱自在に固定するためのベルト部材固定部を有している。
ベルト部材は、支え帯部材または腰部部材を選択的に着脱自在に固定できるようになっている。
【００６４】
これにより、妊娠中では、使用者はベルト部材に対して支え帯部材を着脱可能に固定することにより、支え帯部材は、少なくとも妊娠中の使用者の腹部の下方位置に配置して、大きくなった腹部を確実に支持することができる。
また産後では、腰部部材をベルト部材に対して着脱可能に固定することにより、腰部部材は使用者の腰部に配置されて、使用者である経産婦の腰痛の軽減を図ることができると共に、ベルト部材によって腹部を圧迫する。
このようにして、本発明の妊婦および経産婦用支持具は、妊娠中の使用者の腹部を支えることができるとともに、妊娠中もしくは出産後において女性の体に発生する腰痛の軽減が図れ、妊娠から出産後における女性の体の変化に応じて腹部や腰部を確実に支持することができる。
【００６５】
本発明によれば、支え帯部材の上端縁が上方に向けて湾曲している。支え帯部材の下端縁の略中央部には上方にのびる縫合線が配置されているとともに、上方に湾曲するようにして上端縁と下端縁が略平行になっている。
これにより、上端縁と下端縁が略平行になっていることから、上端縁が凸状に湾曲していることから、下端縁は凹状になっている。このために下端縁が凹状になっているので下端縁が下腹部に食い込むことを防ぐ。上端縁が凸状になっているので、上端縁と下端縁が略平行に形成されているので、支え帯部材は腹部をバランスよく支えることができ、使用時の快適性が向上する。
【００６６】
本発明によれば、腰部部材は、縦方向に沿って二本の骨格部を有している。腰部部材の下端部の両端部が凸状に形成されている。
これにより、二本の骨格部は、背骨に沿って配置させることができ、腰骨の形状に合わせてのびている凸状の下端の両端部は、確実に腰部を支えることができる。
【００６７】
本発明によれば、ベルト部材は、ベルト部材固定部が形成された領域が最も広い幅となるよう構成されている。
これにより、支え帯部材や腰部部材が取り付けられ、ベルト部材において最も保持する力が必要となる領域が、広い幅を有する保持面となり、腹部や腰部に対する保持力を高めることが可能とされると共に、支え帯部材や腰部部材が使用時にずれることが無く、確実に固定することができる。
【００６８】
本発明によれば、ベルト部材の略中央領域にベルト部材固定部が形成されており、ベルト部材の一方の端部に端部固定部が形成され、ベルト部材の他方の端部領域を端部固定部で固定するよう、ベルト部材の長さ調整手段が形成されている。
これにより、ベルト部材の中央領域に支え帯部材または腰部部材を固定し、一方の端部に形成された端部固定部によって、他方の端部領域を一方の端部と固定することとなり、装着時にベルト部材の長さを調整することが可能とされて、容易に体形の変化に応じた位置でベルト部材を装着することができる。
【００６９】
本発明によれば、ベルト部材の端部固定部は、一方の端部の外面に形成された外側固定面によって形成されて、他方の端部領域の内面に形成された内側固定面に着脱するよう構成されており、他方の端部領域における内側固定面よりも先端領域を、一方の端部領域の外面側に保持するための端部保持部が形成されている。
これにより、長さ調整手段である端部固定部は、外側固定面を内側固定面に固定するという簡単な操作によって着脱が可能とされて、長さの調整を行うことができる。
しかも、内側固定面が形成された他方の端部領域側で、内側固定面よりも先端側となる領域を、外側固定面が形成された一方の端部領域側の外面で保持することができるため、長さ調整を行って比較的長いベルト部材を短い状態で使用する場合でも、他方の端部領域における先端側が垂れ下がる等、取り扱いにおける問題が発生することがない。
【００７０】
本発明によれば、ベルト部材に対して腰部部材を配置した際に、ベルト部材の内周側における腰部部材と対向する対向位置に配置可能な腹部圧迫部材を用いる。この腹部圧迫部材の外面には、腹部圧迫部材をベルト部材の対向位置に固定するための腹部圧迫部材固定部を有している。この腹部圧迫部材は非伸縮性のものである。
これにより、腹部圧迫部材は、腰痛を軽減するとともに、出産後の子宮の収縮を促して、下腹部の体型補正を行う機能を強化することができる。
【００７１】
ところで上述した本発明の実施形態では、ベルト部材と支え帯部材の相互の固定と、ベルト部材と腰部部材の相互の固定と、ベルト部材同士の固定は、着脱可能な手段として面ファスナーを用いている。しかしこれに限らず、支え帯部材とベルト部材の固定と、腰部部材とベルト部材の固定およびベルト部材同士の固定と、腹部圧迫部材とベルト部材の固定は、着脱可能で固定できれば、特に固定構造はたとえば雄型のフックと雌型のフックの組み合わせを用いても勿論構わない。
【００７２】
また、たとえば図１に例示するように支え帯部材固定部は支え帯部材の外面の全面に形成してあっても外面の一部分に形成してあってもよい。腰部部材固定部は、腰部部材の外面の全面に形成されていても外面の一部分に形成してあってもよい。支え帯部材固定部と腰部部材固定部そして腹部圧迫部材固定部は、それぞれ支え帯部材固定面、腰部部材固定面、腹部圧迫部材固定面と呼ぶこともできる。
各固定部における雌部材と雄部材は、入れ替えて使用してもよい。
各要素の材質は、図示例に限定されることはなく、各種のものを採用することができる。
腰部部材の骨格部は、プラスチックに限らずたとえば他の種類の硬質材料、たとえばセラミックスなどを用いても勿論構わない。
ベルト部材の形状は、帯状の部材に限らず、他の形状のものを採用することも可能である。
【００７３】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【００７４】
【発明の効果】
以上説明したように、本発明によれば、使用者が妊娠している時から出産した後において、大きくなった腹部を支えることができるとともに、腰痛の発生を軽減することができる。
【図面の簡単な説明】
【図１】本発明の妊婦および経産婦用支持具の好ましい第１の実施形態を示す斜視図。
【図２】図１の支持具により妊娠時に下腹部を支持している使用例を示す斜視図。
【図３】図２に示す使用例の正面図。
【図４】妊娠時乃至出産後において腰部をサポートしている例を示す背面図。
【図５】図４の腰部のサポート例を示す斜視図。
【図６】支え帯部材の好ましい実施形態を示す斜視図。
【図７】支え帯部材の外面側と内面側を示す図。
【図８】支え帯部材の形状例を示す図。
【図９】腰部部材の外面側と内面側を示す図。
【図１０】ベルト部材の第１ベルトの外面側と内面側を示す図。
【図１１】第２ベルトの外面側と内面側を示す図。
【図１２】図６における支え帯部材のＢ−Ｂにおける断面構造例を示す図。
【図１３】図９に示す腰部部材のＣ−Ｃにおける断面構造例を示す図。
【図１４】図１０（Ａ）と図１１（Ａ）における第１ベルトと第２ベルトのＡ−Ａにおける断面構造例を示す図。
【図１５】本発明の妊婦および経産婦用支持具の別の実施形態を示す斜視図。
【図１６】図１５の支持具が妊娠時において使用されている例を示す斜視図。
【図１７】図１５の支持具が妊娠時乃至出産後において腰部をサポートしている例を示す斜視図。
【図１８】本発明の妊婦および経産婦用支持具の第３の実施形態を示す斜視図。
【図１９】図１８の支持具の別の使用形態であり、産後の初期乃至後期における使用例を示す斜視図。
【図２０】図１８の支持具が妊娠中に使用されている例を示す斜視図。
【図２１】図１９の支持具が産後の初期乃至後期において使用されている例を示す斜視図。
【図２２】本発明の妊婦および経産婦用支持具のさらに別の実施形態を装着している前側から見た斜視図。
【図２３】図２２の装着している後側から見た斜視図。
【図２４】図２２と図２３の実施形態の形状例を示す図。
【符号の説明】
１・・・腹部、２・・・腰部、１０・・・妊婦および経産婦用支持具、２０・・・支え帯部材、２１・・・支え帯部材固定部、２２・・・縫合線、３０・・・腰部部材、３５・・・腰部部材固定部、４０・・・ベルト部材、４１・・第１ベルト、４２・・・第２ベルト、５６，５７・・・ベルト部材固定部、５８・・・ベルト部材の外面固定部、Ｍ・・・使用者
【図１】
2005042225.tif 000003
【図２】
2005042225.tif 000004
【図３】
2005042225.tif 000005
【図４】
2005042225.tif 000006
【図５】
2005042225.tif 000007
【図６】
2005042225.tif 000008
【図７】
2005042225.tif 000009
【図８】
2005042225.tif 000010
【図９】
2005042225.tif 000011
【図１０】
2005042225.tif 000012
【図１１】
2005042225.tif 000013
【図１２】
2005042225.tif 000014
【図１３】
2005042225.tif 000015
【図１４】
2005042225.tif 000016
【図１５】
2005042225.tif 000017
【図１６】
2005042225.tif 000018
【図１７】
2005042225.tif 000019
【図１８】
2005042225.tif 000020
【図１９】
2005042225.tif 000021
【図２０】
2005042225.tif 000022
【図２１】
2005042225.tif 000023
【図２２】
2005042225.tif 000024
【図２３】
2005042225.tif 000025
【図２４】
2005042225.tif 000026